(57)【特許請求の範囲】
【請求項１】
コインが供給され下部側からコインを排出するホッパと、
前記ホッパの下方に設けられて前記ホッパから排出されたコインが供給され前記コインを１枚ずつ排出するコイン排出通路を有するベース板と、
前記ベース板上面に設けられて前記ホッパから供給されたコインが入り込むと共に前記コインを前記ベース板と接した状態に保持するコイン穴を有し前記コイン穴に保持されたコインと共に周方向に回転可能な円板状の回転ディスクと、
前記回転ディスクを正逆方向に回転駆動させる駆動機構と、
前記ベース板上面から突出し且つ板バネに接合されていて前記回転ディスクの一方の回転方向の回転と共に移動するコインが接触することで前記コインを前記コイン排出通路にガイドするピンとを備えるコイン送出装置であって、
前記ベースには、前記一方の回転方向における前記ピンの前方に、外周にテーパー面が形成された突起部がベース板と一体に成形されていて、前記回転ディスクを逆方向に回転させることでコインの詰まりを解消することを特徴とするコイン送出装置。
【発明の詳細な説明】
【技術分野】
【０００１】
本発明は、遊戯用機械のスロットマシン等に設置されて、メダル、コイン（以下、両者を「コイン」と総称する）を送り出すコイン送出装置に関する。
【背景技術】
【０００２】
従来、スロットマシンなどの遊技機に内蔵されているコイン送出装置は、ホッパに貯留されている多数枚のメダルを、ホッパの下側に設けられてコインが入り込む複数のコイン穴を備える回転ディスクの回転動作により、コインを１枚ずつベース板に沿って平面的に回転させ、ベース板から突出するピンに衝突させることにより、メダルを回転ディスクの回転方向からコイン払出通路側へと方向を転換させてコインを払い出している（例えば特許文献１参照）。
【０００３】
このようなコイン送出装置では、ホッパのコインがベース板の面に対して斜め方向からコイン穴に入り込むとコインが重なってベースと回転ディスクの間に詰まってしまい、コインの払い出しが停止してしまうことがある。そして、このようにコインが詰まった場合には、回転ディスクを逆回転させてコインの詰まりを解消させている。
回転ディスクが逆回転すると、まず、図５（ａ）に示すように、逆回転方向Ａ２に逆回転する回転ディスクと共に回転したコインＣは、ベース板３１から突出するピン３２と接触する。そして、このピン３２には、逆回転したコインＣが接触する側にテーパー面（傾斜面）３２ａが形成されているので、図５（ｂ）〜（ｅ）に示すように、逆回転するコインＣは、このテーパー面３２ａに沿ってベース板３１から離れてピン３２を乗り越えている。このピン３２は、板バネ３３に設置されており、板バネ３３から突出した状態である。
【先行技術文献】
【特許文献】
【０００４】
【特許文献１】特許第３３４１８３７号公報
【発明の概要】
【発明が解決しようとする課題】
【０００５】
しかしながら、従来のコイン送出装置では以下のような問題があった。
ピン３２に形成されたテーパー面３２ａは、逆回転したコインＣが接触する側に形成されていなければならず、テーパー面３２ａの加工や、テーパー面３２ａが加工されたピン３２を板バネ３３に正確に設置することに労力を要していた。
そして、ピン３２のテーパー面３２ａの向きや角度が適切でないと、コインＣがピン３２を乗り越えることができず、コインＣの詰まりを解消できないことがあった。
【０００６】
本発明は、上述する問題に鑑みてなされたもので、コインの詰まりを確実に解消できると共に、ピンの加工や設置作業を容易にすることができるコイン送出装置を提供することを目的とする。
【課題を解決するための手段】
【０００７】
上記目的を達成するため、本発明に係るコイン送出装置は、コインが供給され下部側からコインを排出するホッパと、前記ホッパの下方に設けられて前記ホッパから排出されたコインが供給され前記コインを１枚ずつ排出するコイン排出通路を有するベース板と、前記ベース板上面に設けられて前記ホッパから供給されたコインが入り込むと共に前記コインを前記ベース板と接した状態に保持するコイン穴を有し前記コイン穴に保持されたコインと共に周方向に回転可能な円板状の回転ディスクと、前記回転ディスクを正逆方向に回転駆動させる駆動機構と、前記ベース板上面から突出し且つ板バネに接合されていて前記回転ディスクの一方の回転方向の回転と共に移動するコインが接触することで前記コインを前記コイン排出通路にガイドするピンとを備えるコイン送出装置であって、前記ベースには、前記一方の回転方向における前記ピンの前方に、外周にテーパー面が形成された突起部がベース板と一体に成形されていて、前記回転ディスクを逆方向に回転させることでコインの詰まりを解消することを特徴とする。
【０００８】
本発明では、ベース板には、回転ディスクの一方の回転方向におけるピンの前方に外周にテーパー面が形成された突起部が設けられていることにより、回転ディスクとベース板の間にコインが詰まって、回転ディスクを詰まったコインと共に他方の回転方向に回転（逆回転）させる際に、コインが突起部と接触して、突起部のテーパー面に沿ってベース板から離れる方向に移動しピンを乗り越えることができるので、逆回転してコインの詰まりを確実に解消することができる。
また、ピンにテーパー面が形成されていた従来のコイン送出装置と比べて、本発明ではピンにテーパー面を形成する必要が無いので、ピンの加工が容易であると共に、ピンを設置する際にピンの方向を考慮することがなくピンの設置が行いやすい。
【０００９】
しかも、突起部はベース板と一体に成形されていることにより、ベース板に突起部を容易に成形することができる。
【発明の効果】
【００１０】
本発明によれば、ベース板の外周にテーパー面が形成された突起部が設けられていることにより、回転ディスクとベース板との間にコインが詰まって、回転ディスクを逆回転させる際に、コインが突起部のテーパー面に沿ってベース板から離れピンを乗り越えることができるので、逆回転してコインの詰まりを解消することができる。また、ピンにテーパー面を形成する必要が無いので、ピンの加工や設置が行いやすく、ピンの設置にかかる労力を低減させる事ができる。
しかも、突起部はベース板と一体に成形されていることにより、ベース板に突起部を容易に成形することができる。
【図面の簡単な説明】
【００１１】
【図１】本発明の実施の形態によるコイン送出装置の一例を示す分解斜視図である。
【図２】本発明の実施の形態によるコイン送出装置のベース板と回転ディスクを示す図である。
【図３】本発明の実施の形態によるコイン送出装置のベース板の上面を示す図である。
【図４】（ａ）〜（ｅ）は本発明の実施の形態によるコイン送出装置における逆回転するコインの移動を説明する図である。
【図５】（ａ）〜（ｅ）は従来のコイン送出装置における逆回転するコインの移動を説明する図である。
【発明を実施するための形態】
【００１２】
以下、本発明の実施の形態によるコイン送出装置について、図１乃至図４に基づいて説明する。
図１に示す本実施の形態によるコイン送出装置１は、スロットマシンなどのゲーム機に搭載されている。コイン送出装置１は、コインＣが供給され下部側からコインＣを排出するホッパ２と、ホッパ２の下方に設けられたベース部３と、ベース部３の上部に設けられた回転ディスク４と、回転ディスク４を回転させるモータ（駆動機構）５と、ベース部３上端面のベース板３ａの上面から突出するピン１４を備えるガイド部材１２と、ベース板３ａから突出する突起部１５とから概略構成される。
【００１３】
図１、２に示すように、ベース部３には上端面に傾斜したベース板３ａが設けられていて、ベース板３ａには、コインＣをベース板３ａ外に排出するコイン排出通路１１が設けられている。このコイン排出通路１１は傾斜した上板３ａの上部側に位置している。
また、ベース板３ａには、回転ディスク４の平面形状よりやや大きい平面形状の凹部３ｂが形成されていて、この凹部３ｂはコイン排出通路１１とつながっている。この凹部３ｂは、コイン排出通路１１以外からコインＣが外方へ移動することを防止している。
【００１４】
図２および図３に示すように、コイン排出通路１１には、排出されるコインＣが一枚ずつ排出されるように規制するバネ材で形成された規制部１６が形成されている。規制部１６はコインＣの通路をコインＣ（図２参照）の幅（径）よりも若干狭くなるように塞いでおり、排出されるコインＣはこの規制部１６を押し開けて排出される。
また、規制部１６と連動してコイン排出通路１１から排出されるコインＣの枚数を測定するためのセンサー１７が備えられている。
【００１５】
図２に示すように、回転ディスク４は、ベース板３ａの上部にその面方向をベース板３ａの面方向と合わせて設置されている。回転ディスク４は、周方向に回転可能な円板状に形成されて、厚さ方向に貫通するコイン穴４ａを複数備えている。本実施の形態では、コイン穴４ａは回転ディスク４の回転軸を中心として周方向に互いに間隔をあけて６個配列されている。
コイン穴４ａは、回転ディスク４の軸方向においてホッパ２側からベース部３側に向って径が漸次縮小されており、ベース部３側がコインＣよりもやや大きい径に形成されている。
【００１６】
コイン穴４ａに入り込んだコインＣは、その面方向が回転ディスク４の面方向と同じ状態となり、下側の面がベース板３ａと接している。そして、コインＣは側面がコイン穴４ａに保持されている。
モータ５はベース部３に内蔵されており（図１参照）、その出力軸５ａはベース板３ａを垂直に貫通し、回転ディスク４と連結されている。
回転ディスク４が回転することによって、コイン穴４ａに保持されたコインＣはベース板３ａに沿って回転ディスク４と共に回転する。
回転ディスク４は、コインＣを払い出す場合に回転方向Ａ１に回転する。
【００１７】
図１および図３に示すように、ガイド部材１２は板バネ１３と板バネ１３の一方の面から突出する２本の円柱状のピン１４とから構成されている。ガイド部材１２は、ベース板３ａに形成された２つのピン挿入孔３ｃにベース部３の内部側（ベース板３ａの裏側）からピン１４が挿入され、板バネ１３がベース板３ａの裏側に固定された状態に設置される。
２本のピン１４は、板バネ１３の同じ端部側に設けられており、板バネ１３はピン１４付近でベース板３ａへ固定されず、ピン１４から離れた端部側でベース板３ａへ固定される。板バネ１３はこのようにベース板３ａへ固定されることによって弾性変形可能となる。
本実施の形態では板バネ１３は、平板状の１枚のバネ鋼から構成されている。なお、板バネ１３は平板状のバネ鋼を所定の角度で曲げた構成としてもよく、複数枚のバネ鋼を重ねた構成としてもよい。
【００１８】
ピン１４は、ベース板３ａの回転ディスク４と重なる部分で、回転ディスク４と共に回転するコインＣが接触する位置に設置されている。ピン１４は、回転ディスク４と共に回転するコインＣをコイン排出通路１１側へガイドするためのものであり、回転ディスク４の回転軸４ｂを中心に回転するコインＣの移動方向をコイン排出通路１１側へ方向を転換させる位置に設置されている。ピン挿入孔３ｃもこの位置に設けられている。
【００１９】
図２に示すように、２つのピン１４は近接して設けられているが、回転ディスク４の回転軸４ｂからの距離と回転軸４ｂを中心とする周方向の位置が異なる。
２つのピン１４ａ、１４ｂ位置関係は、回転軸４ｂから遠いほうのピン１４ａが回転軸４ｂに近いほうのピン１４ｂよりも、回転ディスク４の回転方向Ａ１において前方に位置している。ピン１４ａは、コインＣの中心が回転によって描く円の外側に位置しており、ピン１４ｂは、この円の内側に位置している。
回転ディスク４は、その裏面（ベース板３ａと対向する面）に、回転時に各ピン１４ａ、１４ｂと接触しないための溝部４ｃがそれぞれ形成されていて、各ピン１４ａ、１４ｂはそれぞれ溝部４ｃ内に入った状態となる。
【００２０】
ベース板３ａには、２つのピン１４ａ、１４ｂのうち回転ディスク４の回転方向Ａ１において前方に設置されたピン１４ａの更に前方に、このピン１４ａと所定の間隔をあけてベース板３ａから突出する突起部１５が形成されている。
突起部１５は、外周にテーパー面１５ａを備える円錐台形状であり、ベース板３ａと一体に成形されている。突起部１５はピン１４ａと略同じ高さに形成されていて、回転ディスク４の溝部４ｃ内にピン１４ａと共に入った状態となる。
【００２１】
次に、上述したコイン送出装置１の動作について説明する。
図１に示すホッパ２よりベース部３上に多数枚のコインＣが供給され、コインＣが回転ディスク４のコイン穴４ａに入り込む。
そして、コイン送出装置１がコインＣ払い出しの指示を受けると、モータ５が回転方向Ａ１の方向に回転して回転ディスク４がコイン穴４ａのコインＣと共に回転する。
回転ディスク４と共に回転するコインＣは、ピン１４と接触すると回転ディスク４外方のコイン排出通路１１側へガイドされる。
【００２２】
コイン排出通路１１へガイドされるコインＣは、まず、２つのピン１４のうち回転ディスク４の回転軸４ｂに近く、回転方向Ａ１の後方にあるピン１４ｂと接触する。そして、ピン１４ｂに接触したままコインＣが回転方向Ａ１に移動しようとするため、回転ディスク４の回転軸４ｂから離れる方向に移動する。そして、コインＣはピン１４ａと接触し、更に回転ディスク４の回転軸４ｂから離れる方向にガイドされる。
そして、コインＣは、規制部１６を押してコイン排出通路１１へ移動しベース部３から排出されてコイン送出装置１外へ払い出される。
このとき、センサー１７によって払い出されたコインＣの枚数が計測されており、所定の枚数のコインＣが排出された後にモータ５の回転駆動が停止して回転ディスク４が停止する。
【００２３】
ホッパ２からベース板３ａ上へ供給される多数枚のコインＣは、それらの向きが統一されていなく、コイン穴４ａに対して多方向から入り込むことになる。
このとき、コイン穴４ａは、ホッパ２側からベース部３側に向って径が漸次縮小されているので、ほとんどのコインＣはコイン穴４ａへの所定の向きで入り込むが、コインＣがコイン穴４ａに対して斜め方向から入り込んでベース板３ａと回転ディスク４との間にコインＣが詰まってしまうことがある。
【００２４】
コインＣが詰まった場合には、コインＣを払い出す場合と逆回転方向Ａ２にモータ５を回転させる駆動を行う。
回転ディスク４を逆回転方向Ａ２に回転させることによって、回転ディスク４と共に詰まったコインＣも逆回転方向Ａ２に回転する。図４（ａ）に示すように、逆回転方向Ａ２に回転したコインＣは、突起部１５と接触し、図４（ｂ）〜（ｅ）に示すように、突起部１５のテーパー面１５ａに沿ってベース板３ａから離れる方向に移動してピン１４ａ、１４ｂを乗り越えている。
そして、回転ディスク４と共に詰まったコインＣが逆回転方向Ａ２に回転することでコインＣの詰まりが解消される。
コインＣの詰まりが解消された後に、回転ディスク４の逆回転駆動を停止させる。
【００２５】
次に、上述した本実施の形態によるコイン送出装置１の効果について説明する。
本実施の形態によるコイン送出装置１は、ベース板３ａにテーパー面１５ａを備える突起部１５が形成されていることにより、コインＣが詰まった場合に、回転ディスク４をコインＣと共に逆回転方向Ａ２に回転させるとコインＣが突起部１５のテーパー面１５ａに沿って移動し、ピン１４ａ、１４ｂを乗り越えて逆回転するので、コインＣの詰まりを解消できる効果を奏する。
【００２６】
また、従来のコイン送出装置では、図５に示すように、ピン３２にテーパー面３２ａが形成されていて、コインＣが詰まって逆回転方向Ａ２に回転させる場合にピン３２に形成されたテーパー面３２ａに沿って移動させてコイン穴からコインＣを排出させていたので、ピン３２にテーパー面３２ａを加工したり、方向を考慮してピン３２を板バネ３３に設置したりしなければならなく手間がかかっていた。しかし、本実施の形態では、従来と比べてピン１４の加工が容易であると共に、ピン１４と板バネ１３を接合する際に方向を考慮する必要がないので、板バネ１３へのピン１４の設置にかかる労力を低減させる事ができる。
また、突起部１５はベース３の上板３ａに一体に形成されているので、設置が容易である。
【００２７】
以上、本発明によるコイン送出装置１の実施の形態について説明したが、本発明は上記の実施の形態に限定されるものではなく、その趣旨を逸脱しない範囲で適宜変更可能である。
例えば、上記の実施の形態では、突起部１５は、外周にテーパー面１５ａを備える円錐台形状であるが、逆方向に回転するコインＣが接触する面にテーパー面を備えていればよく、直方体や円柱などの外周の一部にテーパー面を形成した形状としてもよい。
また、上記の実施の形態では、突起部１５はピン１４と略同じ高さに形成されているが、突起部１５の高さはコインＣが突起部１５のテーパー面１５ａにガイドされてピン１４を乗りこえることができれば、ピン１４よりも高くても低くてもよい。
また、上記の実施の形態では、回転ディスク４に対してコイン穴４ａを６つ設けているが、任意の個数のコイン穴４ａを設けてもよい。
また、上記の実施の形態では、突起部１５はベース板３ａと一体に成形されているが、一体成形でなく、ベース板３ａに突起部１５を接着、または取付固定した構成としてもよい。
【符号の説明】
【００２８】
１  コイン送出装置
２  ホッパ
３  ベース部
３ａ  ベース板
４  回転ディスク
４ａ  コイン穴
５  モータ
１１  コイン排出通路
１２  ガイド部材
１４、１４ａ、１４ｂ  ピン
１５  突起部
１５ａ  テーパー面
Ａ１  回転方向（一方の回転方向）
Ｃ  コイン
【図１】
0005474513.tif 000002
【図２】
0005474513.tif 000003
【図３】
0005474513.tif 000004
【図４】
0005474513.tif 000005
【図５】
0005474513.tif 000006